(57)【要約】【課題】  伝送路ファイバの断線箇所から高出力光を放射する可能性のある光機器を、瞬時に停止する。【解決手段】  制御回路１６１は、従来と同様に、監視光受信器１５２で受信された監視光Ｏ１に基づき、光増幅器１３１を制御する第一の機能を有する。また、制御回路１６１は、監視光受信器１５１で受信された監視光Ｏ２の強度が一定以下である場合に、光ファイバ１１１で断線等が発生したと判断し、光増幅器１３１を介して上り回線Ｌ１の信号光Ｓ１の伝送を停止する第二の機能を有する。この第二の機能により、光ファイバ１１１の断線箇所から高出力光が放射されることを防止できる。【選択図】  図１
2005295099.tif 000002
【特許請求の範囲】
【請求項１】
互いに逆方向となる第一及び第二の信号光と互いに逆方向となる第一及び第二の監視光とを伝送する伝送路ファイバと、この伝送路ファイバに設けられた制御手段と、を備えた光伝送システムにおいて、
前記伝送路ファイバは、第一及び第二の回線を有し、
前記第一の回線は、前記第一の信号光を伝送するとともに、この第一の信号光とは逆方向に前記第二の監視光を伝送し
前記第二の回線は、前記第二の信号光を伝送するとともに、この第二の信号光とは逆方向に前記第一の監視光を伝送し、
前記制御手段は、前記第一及び第二の回線の前記第一及び第二の監視光に基づき、前記第一の回線の前記第一の信号光を制御するとともに、前記第二の回線の前記第二の信号光を制御する、
ことを特徴とする光伝送システム。
【請求項２】
前記制御手段は、前記第一の回線の前記第二の監視光の強度が一定以下である場合に、前記第一の回線の前記第一の信号光の伝送を停止し、前記第二の回線の前記第一の監視光の強度が一定以下である場合に、前記第二の回線の前記第二の信号光の伝送を停止する、
請求項１記載の光伝送システム。
【請求項３】
前記制御手段は、前記第一の回線の前記第二の監視光の強度が一定以下である場合に、前記第一の回線の前記第二の監視光の伝送を停止し、前記第二の回線の前記第一の監視光の強度が一定以下である場合に、前記第二の回線の前記第一の監視光の伝送を停止する、
請求項２記載の光伝送システム。
【請求項４】
前記制御手段は伝送路ファイバの途中に設けられた中継局である、
請求項１乃至３のいずれかに記載の光伝送システム。
【請求項５】
前記中継局は、前記第一の回線側に設けられた第一の中継部と、前記第二の回線側に設けられた第二の中継部とを有し、
前記第一の中継部は、前記第一及び第二の回線の前記第一及び第二の監視光に基づき、第一の回線の前記第一の信号光を制御し、
前記第二の中継部は、前記第一及び第二の回線の前記第一及び第二の監視光に基づき、前記第二の回線の前記第二の信号光を制御する、
請求項４記載の光伝送システム。
【請求項６】
前記第一の中継部は、前記第一の回線の前記第二の監視光の強度が一定以下である場合に、前記第一の回線の前記第一の信号光の伝送を停止し、
前記第二の中継部は、前記第二の回線の前記第一の監視光の強度が一定以下である場合に、前記第二の回線の前記第二の信号光の伝送を停止する、
請求項５記載の光伝送システム。
【請求項７】
前記第一の中継部は、前記第一の回線の前記第二の監視光の強度が一定以下である場合に、前記第一の回線の前記第二の監視光の伝送を停止し、
前記第二の中継部は、前記第二の回線の前記第一の監視光の強度が一定以下である場合に、前記第二の回線の前記第一の監視光の伝送を停止する、
請求項６記載の光伝送システム。
【請求項８】
前記第一の中継部は、前記第一の回線の途中に挿入され前記第一の信号光を入力及び出力する第一の光機器と、この第一の光機器の出力側に設けられ前記第二の監視光を分波する第二の監視光分波器と、この第二の監視光分波器で分波された前記第二の監視光を受信する第二の監視光受信器と、前記第一の光機器を制御する第一の制御回路と、前記第二の監視光を送信する第二の監視光送信器と、前記第一の光機器の入力側に設けられ前記第二の監視光送信器から送信された前記第二の監視光を合波する第二の監視光合波器とを有し、
前記第二の中継部は、前記第二の回線の途中に挿入され前記第二の信号光を入力及び出力する第二の光機器と、この第二の光機器の出力側に設けられ前記第一の監視光を分波する第一の監視光分波器と、この第一の監視光分波器で分波された前記第一の監視光を受信する第一の監視光受信器と、前記第二の光機器を制御する第二の制御回路と、前記第一の監視光を送信する第一の監視光送信器と、前記第二の光機器の入力側に設けられ前記第一の監視光送信器から送信された前記第一の監視光を合波する第一の監視光合波器とを有し、
前記第一の制御回路は、前記第一及び第二の監視光受信器で受信された前記第一及び第二の監視光に基づき前記第一の光機器を制御するとともに、前記第一の監視光送信器を介して前記第一の監視光を送信し、
前記第二の制御回路は、前記第一及び第二の監視光受信器で受信された前記第一及び第二の監視光に基づき前記第二の光機器を制御するとともに、前記第二の監視光送信器を介して前記第二の監視光を送信する、
請求項５記載の光伝送システム。
【請求項９】
前記第一の制御回路は、前記第二の監視光受信器で受信された前記第二の監視光の強度が一定以下である場合に、前記第一の光機器を介して前記第一の回線の前記第一の信号光の伝送を停止し、
前記第二の制御回路は、前記第一の監視光受信器で受信された前記第一の監視光の強度が一定以下である場合に、前記第二の光機器を介して前記第二の回線の前記第二の信号光の伝送を停止する、
請求項８記載の光伝送システム。
【請求項１０】
前記第一の制御回路は、前記第二の監視光受信器で受信された前記第二の監視光の強度が一定以下である場合に、前記第二の監視光送信器を介して前記第一の回線の前記第二の監視光の伝送を停止し、
前記第二の制御回路は、前記第一の監視光受信器で受信された前記第一の監視光の強度が一定以下である場合に、前記第一の監視光送信器を介して前記第二の回線の前記第一の監視光の伝送を停止する、
請求項９記載の光伝送システム。
【請求項１１】
前記光機器が光増幅器である、
請求項８乃至１０のいずれかに記載の光伝送システム。
【発明の詳細な説明】
【技術分野】
【０００１】
本発明は、信号光及び監視光を伝送する伝送路ファイバとその途中に設けられた中継局とを有する光伝送システムに関する。
【背景技術】
【０００２】
図３は、光伝送システムの第一従来例を示す構成図である。以下、この図面に基づき説明する。
【０００３】
光伝送システム５０は、互いに逆方向となる信号光Ｓ１，Ｓ２と互いに逆方向となる監視光Ｏ１，Ｏ２とを伝送する伝送路ファイバ５１と、伝送路ファイバ５１の途中に設けられた中継局Ａ，Ｂとを備えたものである。伝送路ファイバ５１は、上り回線Ｌ１及び下り回線Ｌ２を有する。上り回線Ｌ１は、信号光Ｓ１及び監視光Ｏ１を同じ方向に伝送する。下り回線Ｌ２は、信号光Ｓ２及び監視光Ｏ２を同じ方向に伝送する。信号光Ｓ１及び監視光Ｏ１と信号光Ｓ２及び監視光Ｏ２とは、互い逆方向に伝送される。中継局Ａは、上り回線Ｌ１側に設けられた中継部５２１と、下り回線Ｌ２側に設けられた中継部５２２とを有する。
【０００４】
中継部５２１は、上り回線Ｌ１の途中に挿入され信号光Ｓ１を入力及び出力する光増幅器５３１と、光増幅器５３１の入力側に設けられ監視光Ｓ１を分波する監視光分波器５４１と、監視光分波器５４１で分波された監視光Ｏ１を受信する監視光受信器５５１と、監視光受信器５５１で受信された監視光Ｏ１に基づき光増幅器５３１を制御する制御回路５６１と、監視光Ｏ１を送信する監視光送信器５７１と、光増幅器５３１の出力側に設けられ監視光送信器５７１から送信された監視光Ｏ１を合波する監視光合波器５８１とを有する。
【０００５】
中継部５２２は、下り回線Ｌ２の途中に挿入され信号光Ｓ２を入力及び出力する光増幅器５３２と、光増幅器５３２の入力側に設けられ監視光Ｏ２を分波する監視光分波器５４２と、監視光分波器５４２で分波された監視光Ｏ２を受信する監視光受信器５５２と、監視光受信器５５２で受信された監視光Ｏ２に基づき光増幅器５３２を制御する制御回路５６２と、監視光Ｏ２を送信する監視光送信器５７２と、光増幅器５３２の出力側に設けられ監視光送信器５７２から送信された監視光Ｏ２を合波する監視光合波器５８２とを有する。
【０００６】
なお、中継局Ｂと中継局Ａとは同じ構成であるので、これらの同じ構成要素には符号の下二桁を同じにしてある。
【０００７】
次に、光伝送システム５０の動作を説明する。
【０００８】
図面左上の中継部５２１について説明するが、全ての中継部５２２，６２１，６２２で同じ動作である。まず、監視光分波器５４１及び監視光受信器５５１は、図示していない前段から送信された監視光Ｏ１を信号光Ｓ１と分波して受信する。そして、受信した情報には制御パラメータ（中継部５２１や光増幅器５３１をどのような条件で制御するかという情報）が含まれるので、監視光受信器５５１はその情報を制御回路５６１に渡す。制御回路５６１は、渡された制御パラメータに基づいて光増幅器５３１を制御し、制御した結果について光増幅器５３１からモニタを通して受け取る。監視光送信器５７１及び監視光合波器５８１は、制御回路５６１によって新たな情報が追加された監視光Ｏ１を、信号光Ｓ１と合波して次段に送信する。このように、監視光Ｏ１によって中継部５２１の動作が遠隔操作される。
【０００９】
しかしながら、この第一従来例では、光ファイバの断線時に光機器を停止する機能を備えていない。そこで、次の第二従来例のように、光ファイバの断線時に光機器を停止する機能を有する光伝送システムが知られている。この種の技術は、例えば下記特許文献１に開示されている。
【００１０】
図４は、光伝送システムの第二従来例を示す構成図である。以下、この図面に基づき説明する。第二従来例は、第一従来例の基本機能に、光ファイバの断線時に光機器を停止する機能が追加されたものである。以下、この追加機能を中心に説明する。
【００１１】
光増幅器１１ａ，１１ｂ，１２ａ，１２ｂは、エルビウムドープファイバ光増幅器であり、1574〜1609ｎｍ程度の波長範囲に波長分割多重された８０チャネルの信号光を、光増幅して＋２４ｄＢｍ程度の信号光を送出する。監視光送信器２１ａは、半導体レーザダイオードを搭載したインターフェースモジュールであり、光増幅器１１ａ，１１ｂを含む伝送系（ＬＩＮＥ−１）を監視制御するための電気情報を伝送しており、波長が1625ｎｍ程度で１チャネルで＋５ｄＢｍ程度の監視光を送出する。監視光送信器２２ａは、半導体レーザダイオードを搭載したインターフェースモジュールであり、光増幅器１２ａ，１２ｂを含む伝送系（ＬＩＮＥ−２）を監視制御するための電気情報を伝送しており、波長が1625ｎｍ程度で１チャネルで＋５ｄＢｍ程度の監視光を送出する。すなわち、信号光と監視光は、上りは上り、下りは下りで同じ光ファイバを伝送するように構成される。監視光受信器３１ｂ，３２ｂは、フォトダイオードを搭載したインターフェースモジュールであり、監視光によって伝送される電気情報を受信する。入力光モニタ４１ｂは、フォトダイオードであり、入力光を検出する。光合分波器５は、マイクロオプティクス型光パッシブ部品であり、信号光と監視光を合分波する。光ファイバ６１ａ，６２ａは、８０ｋｍ程度の分散シフトファイバであり、損失が２０ｄＢ程度である。
【００１２】
例えば、光ファイバ６１ａの断線が光増幅器１１ａから４ｄＢ程度の場所で発生すると、送出レベル＋２４ｄＢｍの信号光が４ｄＢの損失を受けて＋２０ｄＢｍの信号光となって、光ファイバ６１ａの断線が発生した部分から放射される。この場合は、光増幅器１１ａを瞬時に停止することが望ましい。光ファイバ６１ａの断線が発生すると、信号光が伝搬できなくなるため、瞬時に入力光モニタ４１ｂで入力光が検出されなくなる。入力光が検出されなくなったという情報は、制御回路７ｂを介して監視光送信器２２ａにより電気情報として送信される。その情報は、光ファイバ６２ａを伝送され、監視光受信器３２ｂで受信されて、制御回路７ａによって光増幅器１１ａの動作が停止される。
【００１３】
【特許文献１】特開２０００−２８６７９８号公報
【発明の開示】
【発明が解決しようとする課題】
【００１４】
しかしながら、この第二従来例では、光ファイバの断線等に対する光機器の制御が、監視光伝送系を介した制御である。そのため、断線等の部分から高出力光を放射する可能性のある光機器を、瞬時には停止できない。
【００１５】
そこで、本発明の目的は、断線等の部分から高出力光を放射する可能性のある光機器を瞬時に停止できるようにした光伝送システムを提供することにある。
【課題を解決するための手段】
【００１６】
本発明に係る光伝送システムは、互いに逆方向となる第一及び第二の信号光と互いに逆方向となる第一及び第二の監視光とを伝送する伝送路ファイバと、伝送路ファイバに設けられた制御手段とを備えたものである。伝送路ファイバは、第一及び第二の回線を有する。第一の回線は、第一の信号光を伝送するとともに、第一の信号光とは逆方向に第二の監視光を伝送する。第二の回線は、第二の信号光を伝送するとともに、第二の信号光とは逆方向に第一の監視光を伝送する。制御手段は、第一及び第二の回線の第一及び第二の監視光に基づき、第一の回線の第一の信号光を制御するとともに、第二の回線の第二の信号光を制御する。制御手段は、例えば伝送路ファイバの途中に設けられた中継局であるが、伝送路ファイバで接続された二つの送受信局の少なくともどちらか一方に設置してもよい。以下、制御手段が中継局である場合について説明する。
【００１７】
第一の回線では、第一の信号光と第二の監視光とが互いに逆方向に伝送される。第二の回線では、第二の信号光と第一の監視光とが互いに逆方向に伝送される。第一及び第二の信号光は互いに逆方向であるから、第一の信号光と第一の監視光とは同じ方向を別々の回線で伝送される。すなわち、前述の第一従来例と同様に、第一の監視光によって第一の信号光を制御することができる。一方、第一の回線では、第一の信号光が進む方向から第二の監視光が伝送されてくる。つまり、第二の監視光によって第一の信号光を制御することができる。例えば、第二の監視光の強度が一定以下である場合は、第一の信号光が進む方向の第一の回線に断線等が発生していると判断できる。この場合は、第一の信号光の伝送を停止することによって、断線箇所からの高出力光の放射を防止できる。また、この場合に、第一の回線の第二の監視光の伝送を停止することにより、第一の回線の前段の中継局において第一の信号光の伝送を停止させることができる。
【００１８】
同様に、第二の回線の第二の信号光についても、第一及び第二の回線の第一及び第二の監視光に基づいて制御することができる。
【００１９】
また、中継局は次のような構成にしてもよい。中継局は、第一の回線側に設けられた第一の中継部と、第二の回線側に設けられた第二の中継部とを有する。第一の中継部は、第一及び第二の回線の第一及び第二の監視光に基づき、第一の回線の第一の信号光を制御する。第二の中継部は、第一及び第二の回線の第一及び第二の監視光に基づき、第二の回線の第二の信号光を制御する。例えば、第一の中継部は、第一の回線の第二の監視光の強度が一定以下である場合に、第一の回線の第一の信号光の伝送を停止し、必要に応じ第一の回線の第二の監視光の伝送を停止する。第二の中継部は、第二の回線の第一の監視光の強度が一定以下である場合に、第二の回線の第二の信号光の伝送を停止し、必要に応じ第二の回線の第一の監視光の伝送を停止する。
【００２０】
また、第一及び第二の中継部は、次のような構成にしてもよい。第一の中継部は、第一の回線の途中に挿入され第一の信号光を入力及び出力する第一の光機器と、第一の光機器の出力側に設けられ第二の監視光を分波する第二の監視光分波器と、第二の監視光分波器で分波された第二の監視光を受信する第二の監視光受信器と、第一の光機器を制御する第一の制御回路と、第二の監視光を送信する第二の監視光送信器と、第一の光機器の入力側に設けられ第二の監視光送信器から送信された第二の監視光を合波する第二の監視光合波器とを有する。第二の中継部は、第二の回線の途中に挿入され第二の信号光を入力及び出力する第二の光機器と、第二の光機器の出力側に設けられ第一の監視光を分波する第一の監視光分波器と、第一の監視光分波器で分波された第一の監視光を受信する第一の監視光受信器と、第二の光機器を制御する第二の制御回路と、第一の監視光を送信する第一の監視光送信器と、第二の光機器の入力側に設けられ第一の監視光送信器から送信された第一の監視光を合波する第一の監視光合波器とを有する。そして、第一の制御回路は、第一及び第二の監視光受信器で受信された第一及び第二の監視光に基づき第一の光機器を制御するとともに、第一の監視光送信器を介して第一の監視光を送信する。第二の制御回路は、第一及び第二の監視光受信器で受信された第一及び第二の監視光に基づき第二の光機器を制御するとともに、第二の監視光送信器を介して第二の監視光を送信する。
【００２１】
例えば、第一の制御回路は、第二の監視光受信器で受信された第二の監視光の強度が一定以下である場合に、第一の光機器を介して第一の回線の第一の信号光の伝送を停止し、必要に応じ第二の監視光送信器を介して第一の回線の第二の監視光の伝送を停止する。第二の制御回路は、第一の監視光受信器で受信された第一の監視光の強度が一定以下である場合に、第二の光機器を介して第二の回線の第二の信号光の伝送を停止し、必要に応じ第一の監視光送信器を介して第二の回線の第一の監視光の伝送を停止する。
【００２２】
換言すると、本発明は、光増幅器などの高出力な光機器を含んで構成される光伝送システムにおいて、伝送路ファイバなどの光ファイバの断線や光コネクタの外れなどが発生した時に、安全性を確保するために高出力な光機器を瞬時に停止できるようにしたことを特徴としている。
【発明の効果】
【００２３】
本発明によれば、第一の信号光と第一の監視光とが対となって同一方向に伝送され、第二の信号光と第二の監視光とが対となって同一方向に伝送され、第一の信号光及び第一の監視光と第二の信号光及び第二の監視光とが互いに逆方向に伝送される場合に、第一の信号光及び第二の監視光を第一の回線で伝送し、第二の信号光及び第一の監視光を第二の回線で伝送することにより、第一及び第二の信号光をそれぞれ従来通りに第一及び第二の監視光で制御でき、かつ第一及び第二の信号光の進む先での断線等をそれぞれ第二及び第一の監視光で検出できる。したがって、伝送路ファイバの断線等を信号光と逆方向に伝搬する光で検出しているので、断線等の部分から高出力光を放射する可能性のある光機器を瞬時に停止できる。しかも、従来の光伝送システムの配線を変更する程度で、本発明を簡単に実現できる。
【発明を実施するための最良の形態】
【００２４】
図１は、本発明に係る光伝送システムの第一実施形態を示す構成図である。以下、この図面に基づき説明する。
【００２５】
本実施形態の光伝送システム１０は、互いに逆方向となる信号光Ｓ１，Ｓ２と互いに逆方向となる監視光Ｏ１，Ｏ２とを伝送する伝送路ファイバ１１と、伝送路ファイバ１１の途中に設けられた中継局Ａ，Ｂとを備えたものである。伝送路ファイバ１１は、上り回線Ｌ１及び下り回線Ｌ２を有する。上り回線Ｌ１は、信号光Ｓ１を伝送するとともに、信号光Ｓ１とは逆方向に監視光Ｏ２を伝送する。下り回線Ｌ２は、信号光Ｓ２を伝送するとともに、信号光Ｓ２とは逆方向に監視光Ｏ１を伝送する。中継局Ａは、上り回線Ｌ１側に設けられた中継部１２１と、下り回線Ｌ２側に設けられた中継部１２２とを有する。
【００２６】
中継部１２１は、上り回線Ｌ１の途中に挿入され信号光Ｓ１を入力及び出力する光増幅器１３１と、光増幅器１３１の出力側に設けられ監視光Ｏ２を分波する監視光分波器１４１と、監視光分波器１４１で分波された監視光Ｏ２を受信する監視光受信器１５１と、光増幅器１３１を制御する制御回路１６１と、監視光Ｏ２を送信する監視光送信器１７１と、光増幅器１３１の入力側に設けられ監視光送信器１７１から送信された監視光Ｏ２を合波する監視光合波器１８１とを有する。中継部１２２は、下り回線Ｌ２の途中に挿入され信号光Ｓ２を入力及び出力する光増幅器１３２と、光増幅器１３２の出力側に設けられ監視光Ｏ１を分波する監視光分波器１４２と、監視光分波器１４２で分波された監視光Ｏ１を受信する監視光受信器１５２と、光増幅器１３２を制御する制御回路１６２と、監視光Ｏ１を送信する監視光送信器１７２と、光増幅器１３２の入力側に設けられ監視光送信器１７２から送信された監視光Ｏ１を合波する監視光合波器１８２とを有する。
【００２７】
そして、制御回路１６１は、監視光受信器１５１，１５２で受信された監視光Ｏ１，Ｏ２に基づき光増幅器１３１を制御するとともに、監視光送信器１７２を介して監視光Ｏ１を送信する。制御回路１６２は、監視光受信器１５１，１５２で受信された監視光Ｏ１，Ｏ２に基づき光機器１３２を制御するとともに、監視光送信器１７１を介して監視光Ｏ２を送信する。
【００２８】
制御回路１６１は、従来と同様に、監視光受信器１５２で受信された監視光Ｏ１に基づき、光増幅器１３１を制御する第一の機能を有する。また、制御回路１６１は、監視光受信器１５１で受信された監視光Ｏ２の強度が一定以下である場合に、光ファイバ１１１で断線等が発生したと判断し、光増幅器１３１を介して上り回線Ｌ１の信号光Ｓ１の伝送を停止する第二の機能を有する。この第二の機能により、光ファイバ１１１の断線箇所から高出力光が放射されることを防止できる。これらの第一及び第二の機能は、制御回路１６２，２６１，２６２も同様に有する。
【００２９】
次に、中継部１２１の各構成要素について説明する。
【００３０】
光伝送システム１０は、波長分割多重伝送システムである。光増幅器１３１は、エルビウムドープファイバ光増幅器であり、1574〜1609ｎｍ程度の波長範囲に波長分割多重された８０チャネルの信号光を光増幅して＋２４ｄＢｍ程度の信号光Ｓ１を送出する。監視光送信器１７１は、半導体レーザダイオードであり、波長が1625ｎｍ程度で１チャネルで＋５ｄＢｍ程度の監視光Ｏ２を送出する。監視光受信器１５１は、フォトダイオードであり、監視光Ｏ２を検出する。監視光分波器１４１及び監視光合波器１８１は、マイクロオプティクス型光パッシブ部品であり、信号光Ｓ１と監視光Ｏ２を合分波する。伝送路ファイバ１１１は、８０ｋｍ程度の分散シフト光ファイバであり、損失は２０ｄＢ程度である。制御回路１６１は、監視光受信器１５２で検出された監視光Ｏ１に基づき光増幅器１３１を制御する従来の機能と、監視光受信器１５１で監視光Ｏ２が検出されなくなった時に光増幅器１３１を瞬時に停止する新規な機能とを有する。
【００３１】
次に、光伝送システム１０の動作を説明する。
【００３２】
例えば伝送路ファイバ１１１の断線等が光増幅器１３１から４ｄＢ程度の場所で発生すると、送出レベル＋２４ｄＢｍの信号光が４ｄＢの損失を受けて＋２０ｄＢｍの信号光Ｓ１が伝送路ファイバ１１１の断線箇所から放射される。この場合は光増幅器１３１を瞬時に停止することが望ましい。伝送路ファイバ１１１に断線等が発生すると、監視光送信器２７１から送出した監視光Ｏ２が伝搬できなくなるため、瞬時に監視光受信器１５１で監視光Ｏ２が検出されなくなり、制御回路１６１によって光増幅器１３１が瞬時に停止される。このようにして、本実施形態では、伝送路ファイバ１１１の断線等を信号光Ｓ１と逆方向に伝搬する監視光Ｏ２で検出しているので、断線箇所から高出力光を放射する可能性のある光増幅器１３１を瞬時に停止できる。
【００３３】
次に、光伝送システム１０について、言葉を換えてもう一度説明する。監視光分波器１４２，２４２及び監視光合波器１８２，２８１は、ＷＤＭカプラ等とする。
【００３４】
上り回線Ｌ１の信号光Ｓ１は、図面左上から入力され、中継局Ａの光増幅器１３１で増幅された後、伝送路ファイバ１１１を伝送され、中継局Ｂの光増幅器２３１で再び増幅された後、図面右上から発信される。一方、下り回線Ｌ２の信号光Ｓ２は、図面右下から入力され、中継局Ｂの光増幅器２３２で増幅された後、伝送路ファイバ１１２を伝送され、中継局Ａの光増幅器１３２で再び増幅された後、図面左下から発信される。
【００３５】
これに対して、上り回線Ｌ１の光増幅器１３１，２３１を制御する監視光Ｏ１すなわちＯＳＣ（Optical Supervisory Channel）信号は、下り回線Ｌ２を使って、左下から入力され、中継局Ａの監視光分波器１４２で監視光Ｏ１だけが分波される。この監視光Ｏ１は、監視光受信器１５２で受信されて電気信号に変換された後、制御回路１６１へ送られ光増幅器１３１を制御した後、監視光送信器１７２へ送られ再び光信号に変換される。光信号に変換された監視光Ｏ１は、再び監視光合波器１８２で下り回線Ｌ２に合波され、伝送路ファイバ１１２を経て中継局Ｂに伝送される。なお、中継器Ｂでも同様の働きが行われている。
【００３６】
一方、下り回線Ｌ２の光増幅器１３２，２３２を制御する監視光Ｏ２は、上り回線Ｌ１を使って右上から入力され、中継局Ｂの監視光分波器２４１で監視光Ｏ２だけが分波される。この監視光Ｏ２は、監視光受信器２５１で受信されて電気信号に変換された後、制御回路２６２へ送られ光増幅器２３２を制御した後、監視光送信器２７１へ送られ再び光信号に変換される。光信号に変換された監視光Ｏ２は、再び監視光合波器２８１で上り回線Ｌ１に合波され、伝送路ファイバ１１１を経て中継局Ａに伝送される。なお、中継器Ａでも同様の働きが行われている。
【００３７】
ここで、上り回線Ｌ１で信号光Ｓ１が中継局Ａから伝送路ファイバ１１１を経て中継局Ｂに伝送されているときに、伝送路ファイバ１１１で断線等が起こったとする。この場合、中継局Ｂから伝送路ファイバ１１１を通って中継局Ａに伝送されてくるはずの監視光Ｏ２が、中継局Ａの監視光受信器１５１で検出されなくなる。そのため、監視光受信器１５１がこの情報を制御回路１６１に送ると、制御回路１６１が光増幅器１３１の動作を停止させる。これにより、上り回線Ｌ１の光増幅器１３１を瞬時に停止することができ、伝送路ファイバ１１１の断線箇所からハイパワーな光が漏れてしまうことを回避できる。
【００３８】
よって、光伝送システム１０は、従来同じ回線を使ってＯＳＣ信号を伝送していたのを互いに対向する回線を使って伝送するようにし、更にＯＳＣ信号を使って、断線等があった場合に、送信側の光増幅器を瞬時に停止することを可能にしたものである。
【００３９】
図２は、本発明に係る光伝送システムの第二実施形態を示す構成図である。以下、この図面に基づき説明する。ただし、図１と同じ部分は同じ符号を付すことにより説明を省略する。
【００４０】
制御回路１６１は、監視光受信器１５１で受信された監視光Ｏ２の強度が一定以下である場合に、監視光送信器１７１を介して上り回線Ｌ１の監視光Ｏ２の伝送を停止する第三の機能を有する。この場合は、上り回線Ｌ１の前段の中継局（図示せず）において信号光Ｓ１の伝送を停止させることができる。なお、この第三の機能の代わりに、制御回路１６２に同様の機能を持たせてもよい。
【００４１】
伝送路ファイバ１１１に断線等が発生すると、監視光送信器２７１からの監視光Ｏ２が監視光受信器１５１で検出されなくなる。このとき、制御回路１６１によって監視光送信器１７１からの監視光Ｏ２の送信が瞬時に停止される。このように、本実施形態では、監視光Ｏ２が検出されなくなった中継局Ａで前段への監視光Ｏ２の送信を停止しているので、伝送路ファイバ１１１の断線等が発生した場所よりも前段にある高出力な光増幅器を全て瞬時に停止できるという効果が得られる。
【００４２】
なお、上記第一及び第二実施形態は一例であり、具体的な構成要素、波長、波長数、レベルなどに制限されるものではない。特に、光増幅器１３１は、エルビウムドープファイバ光増幅器以外の光増幅器、光送信器、可変光減衰器（ＶＯＡ）、ゲートスイッチ（ＧＳＷ）等でも良い
【図面の簡単な説明】
【００４３】
【図１】本発明に係る光伝送システムの第一実施形態を示す構成図である。
【図２】本発明に係る光伝送システムの第二実施形態を示す構成図である。
【図３】光伝送システムの第一従来例を示す構成図である。
【図４】光伝送システムの第二従来例を示す構成図である。
【符号の説明】
【００４４】
１０  光伝送システム
１１  伝送路ファイバ
１２１  中継部
１２２  中継部
Ａ，Ｂ  中継局（制御手段）
Ｌ１  上り回線
Ｌ２  下り回線
Ｓ１，Ｓ２  信号光
Ｏ１，Ｏ２  監視光
【図１】
2005295099.tif 000003
【図２】
2005295099.tif 000004
【図３】
2005295099.tif 000005
【図４】
2005295099.tif 000006